(57)【要約】【課題】一日の撮影枚数を簡単に知ることができる撮像装置を提供する。【解決手段】デジタルカメラ１は、撮影が行われたときに、日時情報の設定が有効と判断された場合は、前回の撮影日が今回の撮影日と同日であるか否かを判断する。前回の撮影日が今回の撮影日と異なる場合は保持していた撮影枚数情報をクリアする。逆に、前回の撮影日が今回の撮影日と同日である場合には、撮影枚数をカウントする。そして、電源釦がオンされた場合には、液晶表示器５の終了画面５ｓに、電源釦がオンされた時点までの一日の撮影枚数５ａを表示する。【選択図】図４
2012182620.tif 000002
【特許請求の範囲】
【請求項１】
日時情報を設定する日時情報設定手段と、画像や文字を表示する表示部とを有する撮像装置であって、
前記日時情報設定手段により日時情報が設定され、この日時情報に基づく撮影が行われたときに今回の撮影日と前回の撮影日とを比較して、撮影日が同日の場合は撮影枚数をカウントし、撮影日が同日でない場合は新たに撮影枚数のカウントを開始する撮影枚数カウント手段と、
少なくとも電源オフ時に前記表示部に表示される終了画面に、その時点までの一日の撮影枚数を表示する撮影枚数表示手段と
を備えることを特徴とする撮像装置。
【請求項２】
請求項１に記載の撮像装置において、
当該撮像装置は、撮影が行われたときに、その撮影画像を所定の指標に基づいて分類する撮影画像分類手段をさらに備え、
前記撮影枚数カウント手段は、今回の撮影日と前回の撮影日が同日の場合は前記所定の指標に基づいて分類された各カテゴリ毎に撮影枚数をカウントし、
前記撮影枚数表示手段は、前記終了画面に前記一日の撮影枚数を表示するとともに前記各カテゴリ毎のトータル撮影枚数を表示することを特徴とする撮像装置。
【請求項３】
請求項２に記載の撮像装置において、
前記撮影枚数表示手段は、さらに、前記各カテゴリ内の撮影画像から代表画像を選択して表示することを特徴とする撮像装置。
【請求項４】
請求項３に記載の撮像装置において、
前記撮影枚数表示手段は、前記代表画像を選択するときに、ＡＦ評価値の高さ、撮影画像中のＳ／Ｎ比の高さ、顔検出数の多さ、撮影シーン自動認識率の高さの少なくとも１つを使用することを特徴とする撮像装置。
【請求項５】
請求項２〜４のいずれか１項に記載の撮像装置において、
前記所定の指標は、撮影画像の明るさ、撮影画像の撮影距離、撮影画像の色、当該撮像装置の姿勢の少なくとも一つを使用することを特徴とする撮像装置。
【請求項６】
請求項１〜５のいずれか１項に記載の撮像装置において、
当該撮像装置は、静止画撮影機能、文字撮影機能、動画撮影機能の少なくとも１つの撮影機能を有し、
前記撮影枚数カウント手段は、前記少なくとも１つの撮影機能を用いて撮影が行われた場合に撮影枚数のカウントを行うことを特徴とする撮像装置。
【請求項７】
請求項１〜６のいずれか１項に記載の撮像装置において、
当該撮像装置は、連写撮影機能、複数サイズ画像同時記録機能、ブラケット機能の少なくとも１つの特殊撮影機能を有し、
当該少なくとも１つの特殊撮影機能を用いて撮影が行われて複数の撮影画像データが生成された場合は、当該複数の撮影画像データを全て撮影枚数のカウントに含めることを特徴とする撮像装置。
【請求項８】
請求項１〜７のいずれか１項に記載の撮像装置において、
当該撮像装置は音声記録機能を備え、
前記撮影枚数カウント手段は、前記音声記録機能にて音声記録が行われた場合には、その音声記録を撮影枚数のカウントに含めることを特徴とする撮像装置。
【請求項９】
請求項１〜８のいずれか１項に記載の撮像装置において、
前記撮影枚数カウント手段は、当該撮像装置に前記日時情報が設定されていない場合は、撮影枚数のカウントは行わず、前記終了画面で撮影枚数を常に０と表示することを特徴とする撮像装置。
【請求項１０】
請求項１〜９のいずれか１項に記載の撮像装置において、
前記撮影枚数カウント手段は、前記日時情報が設定あるいは再設定された場合は、設定あるいは再設定された時点で、それまでカウントしていた撮影枚数をリセットすることを特徴とする撮像装置。
【請求項１１】
請求項１〜１０のいずれか１項に記載の撮像装置において、
前記撮影枚数カウント手段は、電源がオンの状態で前記日時情報設定手段で設定された日付が変わったときには、日付が変わる前までカウントしていた撮影枚数をリセットし、日付が変わった後に撮影が行われたときは新たに撮影枚数のカウントを開始し、
前記撮影枚数表示手段は、前記終了画面に、日付が変わってからの累積の撮影枚数を表示することを特徴とする撮像装置。
【請求項１２】
請求項１〜１１のいずれか１項に記載の撮像装置において、
前記撮影枚数カウント手段は、日付毎の撮影枚数を記憶する記憶部と、この記憶部から日付毎の撮影枚数を読み出す読み出し処理部と、この読み出し処理部によって読み出された日付毎の撮影枚数から総撮影枚数を算出する演算部とを有し、
前記撮影枚数表示手段は、前記終了画面に、前記一日の撮影枚数を表示するとともに前記総撮影枚数を表示することを特徴とする撮像装置。
【請求項１３】
請求項１〜１２のいずれか１項に記載の撮像装置において、
前記撮影枚数カウント手段は、同日の撮影枚数をカウントする他に、同月の撮影枚数、同年の撮影枚数、初回起動時から最終撮影時までの全ての撮影枚数のうち、少なくとも１つの期間の撮影枚数をカウントし、
前記撮影枚数表示手段は、前記終了画面に、同日の撮影枚数および前記少なくとも１つの期間の撮影枚数を表示することを特徴とする撮像装置。
【請求項１４】
請求項１〜１３のいずれか１項に記載の撮像装置において、
前記撮影枚数表示手段は、前記終了画面に撮影枚数を表示する前に撮影枚数を表示するか否かを撮影者に判断させる表示判断手段と、
前記撮影者に撮影枚数を表示するか否かを決定させる表示決定手段とを備え、
前記表示決定手段により前記撮影者が撮影枚数を表示することを決定した場合に前記終了画面に撮影枚数を表示することを特徴とする撮像装置。
【請求項１５】
請求項１〜１４のいずれか１項に記載の撮像装置において、
前記撮影枚数表示手段は、撮影画像の確認時に前記表示部に表示される確認画面に、前記終了画面の場合と同様な方法で撮影枚数を表示することを特徴とする撮像装置。
【発明の詳細な説明】
【技術分野】
【０００１】
本発明は、日時情報が設定可能な撮像装置に関する。
【背景技術】
【０００２】
従来から、撮像装置には撮影を行ったときに日時情報を持たせる機能を持つものが多い。撮影画像に撮影当時の日時情報を持たせることによって、撮影画像に撮影日時を写しこむためである。近年では日時情報を利用し、撮影日時に依る撮影画像枚数の分布を算出し、その分布における撮影画像枚数の変化を色相や色の濃淡の変化によって表現して表示する技術が既に知られている（例えば特許文献１参照）。
【０００３】
特許文献１では、多くの撮影画像に対して、ユーザーが撮影日時による画像枚数の分布をわかりやすく表示することを目的としている。具体的には、ハードディスクドライブに保存された大量の撮影画像に対して、その日時情報を取得し、各撮影日付毎に撮影枚数をカウントする。そして、単位日付の撮影枚数が滑らかに結ばれるように最適な補正を行い、補正後の結果を日付による撮影画像の分布として撮影画像枚数の変化を色相や色の濃淡の変化で表現している。
【発明の概要】
【発明が解決しようとする課題】
【０００４】
しかしながら、写真愛好家や初心者は単位日付毎の撮影枚数を練習量の基準の一つとしていることが多く、撮影枚数を具体的に確認したいという要望がある。しかし、今までの撮影枚数の変化を色相や色の濃淡の変化によって表現する方法では、分布表示であるために全撮影画像に対する相対的な評価しか行えず、当日の撮影枚数が定量的にわからない。そこで撮影枚数を知りたい時には自ら撮影画像を表示してカウントしなければならず、煩雑な操作を必要としていた。
【０００５】
本発明は、このような従来の課題に鑑みてなされたものであり、一日の撮影枚数を簡単に知ることができる撮像装置を提供することを目的とする。
【課題を解決するための手段】
【０００６】
本発明者等は、鋭意研究の結果、前記課題を解決するために以下のような撮像装置を採用した。
【０００７】
本発明の撮像装置は、
日時情報を設定する日時情報設定手段と、画像や文字を表示する表示部とを有する撮像装置であって、
前記日時情報設定手段により日時情報が設定され、この日時情報に基づく撮影が行われたときに今回の撮影日と前回の撮影日とを比較して、撮影日が同日の場合は撮影枚数をカウントし、撮影日が同日でない場合は新たに撮影枚数のカウントを開始する撮影枚数カウント手段と、
少なくとも電源オフ時に前記表示部に表示される終了画面に、その時点までの一日の撮影枚数を表示する撮影枚数表示手段とを備えることを特徴とする。
【０００８】
さらに、本発明の撮像装置は、撮影が行われたときに、その撮影画像を所定の指標に基づいて分類する撮影画像分類手段を備え、
撮影枚数カウント手段は、今回の撮影日と前回の撮影日が同日の場合は所定の指標に基づいて分類された各カテゴリ毎に撮影枚数をカウントし、
撮影枚数表示手段は、終了画面に一日の撮影枚数を表示するとともに各カテゴリ毎のトータル撮影枚数を表示しても良い。
【０００９】
さらに、撮影枚数表示手段は、各カテゴリ内の撮影画像から代表画像を選択して表示しても良い。
【００１０】
また、代表画像を選択するときには、ＡＦ評価値の高さ、撮影画像中のＳ／Ｎ比の高さ、顔検出数の多さ、撮影シーン自動認識率の高さの少なくとも１つを使用することが好ましい。
【００１１】
また、所定の指標は、撮影画像の明るさ、撮影画像の撮影距離、撮影画像の色、撮像装置の姿勢の少なくとも一つを使用することが好ましい。
【００１２】
また、本発明の撮像装置は、静止画撮影機能、文字撮影機能、動画撮影機能の少なくとも１つの撮影機能を有し、撮影枚数カウント手段は、これらの少なくとも１つの撮影機能を用いて撮影が行われたときに撮影枚数のカウントを行うようにしても良い。
【００１３】
さらに、本発明の撮像装置は、連写撮影機能、複数サイズ画像同時記録機能、ブラケット機能の少なくとも１つの特殊撮影機能を有し、これらの少なくとも１つの特殊撮影機能を用いて撮影が行われて複数の撮影画像データが生成された場合は、当該複数の撮影画像データを全て撮影枚数のカウントに含めることが好ましい。
【００１４】
さらに、本発明の撮像装置は音声記録機能を備え、撮影枚数カウント手段は、音声記録機能にて音声記録が行われた場合には、その音声記録を撮影枚数のカウントに含めることが好ましい。
【００１５】
また、撮影枚数カウント手段は、撮像装置に日時情報が設定されていない場合は、撮影枚数のカウントは行わず、終了画面で撮影枚数を常に０と表示することが好ましい。
【００１６】
また、撮影枚数カウント手段は、日時情報が設定あるいは再設定された場合は、設定あるいは再設定された時点で、それまでカウントしていた撮影枚数をリセットすることが好ましい。
【００１７】
また、撮影枚数カウント手段は、電源がオンの状態で日時情報設定手段で設定された日付が変わったときには、日付が変わる前までカウントしていた撮影枚数をリセットし、日付が変わった後に撮影が行われたときは新たに撮影枚数のカウントを開始し、撮影枚数表示手段は、終了画面に、日付が変わってからの累積の撮影枚数を表示することが好ましい。
【００１８】
また、撮影枚数カウント手段は、日付毎の撮影枚数を記憶する記憶部と、この記憶部から日付毎の撮影枚数を読み出す読み出し処理部と、この読み出し処理部によって読み出された日付毎の撮影枚数から総撮影枚数を算出する演算部とをさらに有し、撮影枚数表示手段は、終了画面に、一日の撮影枚数を表示するとともに総撮影枚数を表示するようにしても良い。
【００１９】
また、撮影枚数カウント手段は、同日の撮影枚数をカウントする他に、同月の撮影枚数、同年の撮影枚数、初回起動時から最終撮影時までの全ての撮影枚数のうち、少なくとも１つの期間の撮影枚数をカウントし、撮影枚数表示手段は、終了画面に、同日の撮影枚数および少なくとも１つの期間の撮影枚数を表示するようにしても良い。
【００２０】
また、撮影枚数表示手段は、終了画面に撮影枚数を表示する前に撮影枚数を表示するか否かを撮影者に判断させる表示判断手段と、撮影者に撮影枚数を表示するか否かを決定させる表示決定手段とを備え、表示決定手段により撮影者が撮影枚数を表示することを決定した場合に終了画面に撮影枚数を表示するようにしても良い。
【００２１】
また、撮影枚数表示手段は、撮影画像の確認時に表示部に表示される確認画面に、終了画面の場合と同様な方法で撮影枚数を表示するようにしても良い。
【発明の効果】
【００２２】
本発明の撮像装置では、電源オフ時の終了画面に一日の撮影枚数を表示するようにした。したがって、撮影者は一日の撮影枚数を知りたいときに自ら撮影画像を表示して撮影枚数をカウントするといった煩雑な操作が不要となり、直感的に一日の撮影枚数を知ることが可能になる。よって、本発明の撮像装置は、一日の撮影枚数を簡単に知ることができる。
【図面の簡単な説明】
【００２３】
【図１】（ａ）はデジタルカメラの正面図、（ｂ）はデジタルカメラの上面図、（ｃ）はデジタルカメラの背面図である。
【図２】図１のデジタルカメラの光学系及びシステム構成図である。
【図３】電源オンから撮影毎に枚数をカウントして電源オフ時に一日の撮影枚数を表示するまでの制御処理を示すフローチャートである。
【図４】日単位の撮影枚数の表示形式を示す図である。
【図５】（ａ）は週単位の撮影枚数の表示形式を示す図、（ｂ）は月単位の撮影枚数の表示形式を示す図、（ｃ）は初回起動時から最終撮影時までのトータルの撮影枚数の表示形式を示す図である。
【発明を実施するための形態】
【実施例】
【００２４】
（第１の実施の形態）
本実施の形態では、撮影した画像の日時情報に基づき、その日の撮影画像を自動で特定の指標で分類し、各分類画像で撮影枚数をカウントし、撮像装置の電源オフ時にその日の撮影画像枚数を表示することが特徴である。この特徴について以下に図面を用いて具体的に説明する。
【００２５】
（デジタルカメラの外観構成）
図１（ａ）は本実施形態に係る撮像装置としてのデジタルカメラ１の正面図、図１（ｂ）はデジタルカメラ１の上面図、図１（ｃ）はデジタルカメラ１の背面図である。
【００２６】
このデジタルカメラ１において、図１（ａ）に示すように、カメラ本体（カメラボディ）の正面１ａの中央には、撮影用の鏡胴ユニットである撮影レンズ２が設けられている。また、正面１ａの右上にはフラッシュ３が設けられ、正面１ａの中央上部には光学ファインダ４の透窓４ａが設けられている。
【００２７】
また、図１（ｃ）に示すように、カメラ本体の背面１ｂの中央上部にはファインダ４の覗き窓４ｂが設けられており、背面１ｂの略左側には、表示部として液晶表示器５（ＬＣＤディスプレイ）が設けられている。背面１ｂの右側上部には、ワイドボタンである広角方向ズームスイッチ（ワイドスイッチ）６及び望遠ボタンである望遠方向ズームスイッチ（テレスイッチ）７が設けられている。
【００２８】
更に、背面１ｂの右側の下部には、メニュースイッチ（メニューボタン）８及び確定スイッチ（確定ボタン）９が設けられている。このメニュースイッチ８をＯＮさせることで、液晶表示器５には撮影条件設定や画像選択、日時情報或いはその他のメニュー画面が表示されるようになっている。このメニュー画面の内容としては、周知のデジタルカメラに採用されているものを用いることができるので、その詳細な説明は省略する。
【００２９】
また、背面１ｂの右側の上下方向の中央には、選択スイッチ（選択ボタン、選択手段）１０が設けられている。この選択スイッチ１０は、例えばメニュースイッチ８で液晶表示器５に表示されるメニュー画面のメニューの選択や撮影条件の選択、日時情報の設定等に用いられる。尚、選択スイッチ１０には、上下左右に選択カーソル（図示せず）を移動させる上移動スイッチＵＰ，下移動スイッチＤＯＷＮ，横移動スイッチＲＩＧＨＴ，横移動スイッチＬＥＦＴ等が設けられている。
【００３０】
更に、図１（ｂ）に示すように、カメラ本体の上面１ｃの右側には、撮影／再生切換ダイヤル（モード切替手段としてのモードダイヤル）１１と、電源釦１２及びレリーズシャッターボタンであるレリーズ釦（レリーズスイッチ）１３等を備えている。
【００３１】
この撮影／再生切換ダイヤル１１には、上面１ｃのマーク（モード設定線）１４に合わせることにより撮影モードとするカメラマーク１１ａや、再生モードとする右向きの三角マーク１１ｂ等が設けられている。更に、電源釦１２は撮影／再生切換ダイヤル１１の中央に設けられ、レリーズ釦１３は撮影／再生切換ダイヤル１１に近接して上面１ｃに設けられている。
【００３２】
尚、図１（ｃ）に示すように、カメラ本体にはメモリカード収納部１５が設けられ、メモリカード収納部１５にはメモリカード１５ａが収納されている。
【００３３】
（デジタルカメラのシステム構成）
図２は、図１のカメラ１の光学系（撮影レンズ２）及び制御回路等を含む撮像処理システムの概要図である。
【００３４】
＜撮影レンズ２＞
この図２において、図１の撮影レンズ２は、複数枚のレンズ又はレンズ群からなる撮影光学系（ズームＡＦレンズ即ちズームオートフォーカスレンズ）１６とメカニカルシャッタ１７を備えている。このズームレンズである撮影光学系１６は、図示しないレンズ駆動モータによりズーム及びオートフォーカスのための駆動ができるようになっている。また、メカニカルシャッタ１７は、図示しないシャッター駆動モータにより駆動されるようになっている。これらの構成には周知の構成を採用できるので、その詳細な説明は省略する。
【００３５】
尚、図２に示した操作部１８は、図１に示した広角方向ズームスイッチ６，望遠方向ズームスイッチ７，メニュースイッチ８，確定スイッチ９，撮影／再生切換ダイヤル１１，電源釦１２及びレリーズ釦１３等を含んでいる。
【００３６】
＜撮像処理システム＞
また、撮影レンズ２を透過した被写体からの光束は撮像処理システムにより信号処理されるようになっている。この撮像処理システムは、撮影レンズ２を透過した光束により被写体像を結像させて撮像する撮像センサー（撮像部）１９と、撮像センサー１９から出力されるデジタル信号を処理する信号処理部（信号処理ＩＣ）２０と、画像データ等を一時的に格納するＳＤＲＡＭ２１（フレームメモリ）と、制御プログラム等が記憶されたＲＯＭ２２、撮影レンズ２を駆動するモータドライバ２３、日時情報の設定に使用する時計４０等を有している。
【００３７】
尚、このモータドライバ２３は、撮影光学系１６のレンズを光軸方向に移動させるレンズ駆動モータ（図示せず）、及び、メカニカルシャッタ１７のシャッター駆動モータ（図示せず）を駆動するようになっている。
【００３８】
（撮像センサー１９）
この撮像センサー１９は、撮影レンズ２を透過した被写体からの光束が入射して被写体像が結像される撮像素子（二次元の受光センサー、イメージセンサ、撮像手段）２４と、この撮像素子２４から出力されるＲＧＢのアナログ信号（映像信号）を１２ｂｉｔのデジタルデータ（以下、「ＲＡＷ−ＲＧＢデータ」という）に変換するＡ／Ｄ変換部２５と、撮像素子２４及びＡ／Ｄ変換部２５を駆動するＴＧ（タイミング信号発生部）２６を有する。
【００３９】
（信号処理部２０）
この信号処理部（信号処理ＩＣ）２０は、センサーＩ／Ｆ部（センサーインタフェース部）２７、ＣＰＵ（中央演算制御装置）２８、メモリコントローラ２９、ＹＵＶ変換部３０、圧縮処理部３１、表示出力制御部３２、リサイズ処理部３３、及びメディアインタフェース（メディアＩ／Ｆ）３４等を備えている。
【００４０】
このセンサーＩ／Ｆ部（センサーインタフェース部）２７は、制御手段（演算制御手段）であるＣＰＵ（中央演算制御装置）２８及びメモリコントローラ２９に接続されている。また、ＣＰＵ２８は、本発明に係る制御手段（日時情報設定手段、撮影枚数カウント手段、撮影枚数表示手段）を備えており、メモリコントローラ２９，ＹＵＶ変換部３０，メディアインタフェース（メディアＩ／Ｆ）３４に接続されている。更に、メモリコントローラ２９は、ＳＤＲＡＭ２１（フレームメモリ），表示出力制御部３２及びリサイズ処理部３３に接続されている。この表示出力制御部３２は、液晶表示器５に接続されていると共に、ＴＶ（図示せず）に接続される。そして、表示出力制御部３２は、液晶表示器５に動画や静止画像等の画像信号を表示のために出力するようになっている。
【００４１】
＜センサーＩ／Ｆ部（画像取込手段）２７＞
この画像取込手段であるセンサーＩ／Ｆ部２７には、撮影レンズ２のＴＧ（タイミング信号発生部）２６から入力される画面水平同期信号（ＨＤ）と画面垂直同期信号（ＶＤ）に合わせて、Ａ／Ｄ変換部２５で変換された１２ｂｉｔのＲＡＷ−ＲＧＢデータ（デジタルデータ、ＲＧＢのデジタル画像データ）を取り込むようになっている。
【００４２】
しかも、センサーＩ／Ｆ部２７は、ＲＧＢのデジタルデータを取り込むと、取り込んだＲＡＷ−ＲＧＢデータから、画面の合焦度合いを示すＡＦ評価値（自動合焦評価値）、被写体輝度を検出したＡＥ評価値（自動露出評価値）、及び被写体色や光源色を検出したＡＷＢ評価値（オートホワイトバランス評価値）等の特徴データを算出するようになっている。従って、センサーＩ／Ｆ部２７は、ＡＦ評価値，ＡＥ評価値，ＡＷＢ評価値等の評価値算出手段（特徴データ算出手段）としての機能を有するので、画像取込・評価値算出手段又は画像取込・特徴データ算出手段ということもできる。そして、このＡＦ評価値，ＡＥ評価値，ＡＷＢ評価値等の特徴データの算出は、動画を構成するフレーム（画像フレーム）毎に行うことができる。
【００４３】
しかし、実際、センサーＩ／Ｆ部２７は、動画を構成するフレーム（画像フレーム）毎にＡ／Ｄ変換部２５から出力されるＲＡＷ−ＲＧＢデータ（ＲＧＢのデジタルデータ）を順次取り込んで、各フレーム毎のＡＦ評価値，ＡＥ評価値，ＡＷＢ評価値等の特徴データを算出させるようになっている。尚、センサーＩ／Ｆ部２７は、評価値算出用のフォーカス位置に対応するフレーム数になる毎にＡＦ評価値，ＡＥ評価値，ＡＷＢ評価値等の特徴データを算出させるようにすることもできる。
【００４４】
また、ＡＦ評価値は、例えば高周波成分抽出フィルタ（図示せず）の出力積分値や、近接画素の輝度差の積分値によって算出（作成）される。尚、被写体が撮影光学系１６により撮像素子２４に対して合焦状態にあるときは、被写体のエッジ部分がはっきりとしているため、高周波成分が増加し、ＡＦ評価値が一番高くなる。
【００４５】
更に、ＡＥ評価値とＡＷＢ評価値は、ＲＧＢのそれぞれのデジタルデータの積分値から算出（作成）される。この際、センサーＩ／Ｆ部２７は、撮像素子２４の受光面（画面）を２５６エリア（水平１６分割、垂直１６分割）に分割して、各エリアのＲＧＢのデジタルデータの積算値からＡＥ評価値とＡＷＢ評価値を算出する。
【００４６】
＜ＣＰＵ２８＞
制御手段（制御回路）であるＣＰＵ２８には、操作部１８（広角方向ズームスイッチ６，望遠方向ズームスイッチ７，メニュースイッチ８，確定スイッチ９，選択スィッチ１０，撮影／再生切換ダイヤル１１，電源釦１２及びレリーズ釦１３等）から、所定の動作指示信号（操作信号）が入力されるようになっている。
【００４７】
例えば、日時情報を設定する場合には、メニュースイッチ８、確定スィッチ９、選択スィッチ１０が操作されることにより、ＣＰＵ２８は時計４０を用いて日時情報を設定し、この日時情報を保存する。
【００４８】
そして、ＣＰＵ２８は、レリーズ釦１３が操作されると、メカニカルシャッタ１７を操作部１８からの撮影条件情報（例えば、露出条件信号）等に基づいてメカニカルシャッタ１７のシャッター駆動モータ（図示せず）を駆動制御し、メカニカルシャッタ１７を所定量開かせる。
【００４９】
これに伴い、ＣＰＵ２８は、フレームレートに同期してモータドライバ２３を作動制御して、撮影レンズ２に設けた撮影光学系１６のレンズ駆動モータ（図示せず）を駆動制御し、撮影光学系１６のフォーカスレンズ（図示せず）を光軸方向に移動制御して、合焦検出動作を開始するようになっている。このようなレリーズ釦１３の半押し操作の構成やメカニカルシャッタ１７の駆動構造及びフォーカスレンズ（図示せず）の駆動構造については、周知の構造を採用できるので、その詳細な説明は省略する。
【００５０】
この制御に際して、ＣＰＵ２８は、ＡＦ対象範囲が無限から至近までの全領域であった場合、フォーカスレンズを至近から無限、または無限から至近の方向に移動させて、撮影レンズ２の撮像素子２４で動画を撮像させるようになっている。尚、ＣＰＵ２８は、フォーカスレンズの光軸方向への移動に伴い、光軸方向への移動位置の複数箇所を評価値を算出するフォーカス位置とするように設定されている。
【００５１】
尚、センサーＩ／Ｆ部２７は、上述したように動画を構成するフレーム（画像フレーム）毎にＡ／Ｄ変換部２５から出力されるＲＡＷ−ＲＧＢデータ（ＲＧＢのデジタルデータ）を順次取り込んで、評価値算出用のフォーカス位置に対応するフレーム数になる毎にＡＦ評価値，ＡＥ評価値，ＡＷＢ評価値等の特徴データを算出させるようになっている。
【００５２】
また、ＣＰＵ２８は、メモリコントローラ２９，ＹＵＶ変換部３０及びメディアインタフェース（メディアＩ／Ｆ）３４等を動作制御するようになっている。
【００５３】
更に、ＣＰＵ２８は、評価値算出用のフォーカス位置に対応するフレームのＡＦ評価値，ＡＥ評価値，ＡＷＢ評価値等の特徴データをセンサーＩ／Ｆ部２７から順次読み出して、ＡＥ，ＡＦ，ＡＷＢのそれぞれの処理に利用するようになっている。
【００５４】
このＡＦ評価値は、上述したように被写体が撮影光学系１６により撮像素子２４に対して合焦状態にあるときに、一番高くなる。これを利用してＣＰＵ２８は、ＡＦによる合焦検出動作時に、モータドライバ２３を作動制御して撮影レンズ２のレンズ駆動モータ（図示せず）を作動制御することにより、撮影光学系１６のフォーカスレンズ（図示せず）をレンズ駆動モータ（図示せず）により光軸方向に移動させながら、それぞれのフォーカスレンズ位置におけるＡＦ評価値をセンサーＩ／Ｆ部２７から取得して、その極大になる点を合焦位置としてＡＦ（自動合焦）を実行する。
【００５５】
また、ＣＰＵ２８は、解像度の高いものがあるかどうかの判断にも利用できる。即ち、撮像素子２４の受光面を例えば１６×１６の複数のブロックに分割した領域のうち、例えば文字などがたくさん書いてある領域では、高周波成分が高くなり、高周波成分抽出ができるハイパスフィルタの出力値は大きくなる。逆に真っ白の紙など輝度の変化がない領域では、高周波成分がないために、ハイパスフィルタの出力は小さくなる。そのため、ＣＰＵ２８は、撮像素子２４の１６×１６にブロックに分割された受光面の各領域におけるＡＦ評価値を比較することで、どの領域に先鋭度の高いものが存在するかの判定をすることができる。
【００５６】
更に、ＣＰＵ２８は、センサーＩ／Ｆ部２７からＲＧＢのディジタルデータの変化の積分値を読み出し、ＡＥでの露光時間やＡＷＢの制御値を決定するようになっている。
【００５７】
即ち、ＡＥにおいてＣＰＵ２８は、撮像素子２４の１６×１６にブロックに分割された受光面の各領域（エリア）の輝度を算出して、この算出した輝度から撮像素子２４の受光面の輝度分布を求め、この算出した輝度分布から適正な露光時間を決定する。また、ＡＷＢにおいてＣＰＵ２８は、ＲＧＢの分布から被写体色や光源色を判定し、光源の色に合わせたＡＷＢの制御値を決定する。このＡＥとＡＷＢの処理は、ファインダモード中は連続的に行われている。
【００５８】
また、ＣＰＵ２８は、ＡＷＢなどの変換係数をＹＵＶ変換部３０に入力するようになっている。
【００５９】
＜メモリコントローラ２９＞
このメモリコントローラ２９は、ＣＰＵ（中央演算制御装置）２８により動作制御されて、ＳＤＲＡＭ（フレームメモリ）２１を作動制御すると共に、センサーＩ／Ｆ部２７から取り込まれたＲＡＷ−ＲＧＢデータをＳＤＲＡＭ（フレームメモリ）２１に記録させるようになっている。
【００６０】
また、メモリコントローラ２９は、ＳＤＲＡＭ２１に記録されたＲＡＷ−ＲＧＢデータ（画像データ）を読み込んでＹＵＶ変換部３０に入力させ、このＲＡＷ−ＲＧＢデータをＹＵＶ変換部３０によりＹＵＶデータ（ＹＵＶ画像データ）に変換させ、この変換されたＹＵＶデータ（ＹＵＶ画像データ）をＳＤＲＡＭ（フレームメモリ）２１に記録させるようになっている。
【００６１】
しかも、メモリコントローラ２９は、ＹＵＶデータをメディアインタフェース３４を介してメモリカード１５ａに記録させるようになっている。
【００６２】
また、メモリコントローラ２９は、ＳＤＲＡＭ２１に記録されたＹＵＶデータをリサイズ処理部３３に入力して、リサイズ処理部３３でＹＵＶデータの記録画素数に対応するサイズに変換させる。しかも、メモリコントローラ２９は、リサイズ処理部３３で記録画素数に対応するサイズに変換したＹＵＶデータを圧縮処理部３１に入力して、このＹＵＶデータを圧縮処理部３１でＪＰＥＧ形式等の画像データへと圧縮させ、この圧縮処理された画像データをＳＤＲＡＭ（フレームメモリ）２１に記録させるようになっている。また、メモリコントローラ２９は、圧縮処理されたＪＰＥＧ形式等の画像データもメディアインタフェース３４を介してメモリカード１５ａに記録させるようになっている。
【００６３】
更に、メモリコントローラ２９からは動画又は静止画像の画像データ信号が操作部１８の操作に応じて出力される。
【００６４】
＜ＹＵＶ変換部３０＞
このＹＵＶ変換部３０は、ＲＡＷ−ＲＧＢデータを輝度データ（Ｙ），色差（輝度データと青色（Ｂ）データの差分（Ｕ），輝度データと赤色（Ｒ）の差分（Ｖ））等の情報で色を表現する形式に変換する。
【００６５】
＜表示出力制御部３２＞
この表示出力制御部３２は、メモリコントローラ２９からの画像データ信号を表示用の画像信号に処理して、この画像信号を液晶表示器５に入力させ、液晶表示器５に撮像した動画又は静止画像を表示させる。また、表示出力制御部３２は、表示用の画像信号をＴＶ出力として出力させる。
【００６６】
＜リサイズ処理部３３＞
このリサイズ処理部３３は、ＳＤＲＡＭ２１に記録されたＹＵＶデータを記録画素数に対応するサイズに変換させる。
【００６７】
次に、このような構成の撮像装置の作用を説明する。
【００６８】
図１の撮影／再生切り替えの撮影／再生切換ダイヤル（モードダイヤル）１１を回動操作して、撮影／再生切換ダイヤル１１のマーク１１ａをマーク１４に合わせることにより、デジタルカメラ１を撮影モードに設定する。次に、電源釦１２を押すことで、デジタルカメラ１が記録モードで起動する。
【００６９】
即ち、上述の撮影／再生切換ダイヤル１１および電源釦１２は図２における操作部１８に含まれているので、撮影／再生切換ダイヤル１１の状態が撮影モードの状態で電源釦１２がＯＮさせられると、ＣＰＵ２８，撮像センサー１９，液晶表示器５等のデジタルカメラの各部に電源が投入される。そして、ＣＰＵ２８は、電源が供給されると各部の制御動作を開始する。この際、ＣＰＵ２８は、モータドライバ２３を動作制御して、鏡胴ユニットである撮影レンズ２を撮影可能位置に移動させると共に、メカニカルシャッタ１７を所定面積開口させる。
【００７０】
また、デジタルカメラ１は、各部に電源が投入されるとファインダモードの動作が開始する。このファインダモードでは、先ず被写体からの撮影光束が撮影レンズ２の撮影光学系（レンズ）１６を通して撮像センサー（ここではＣＭＯＳセンサーとする）である撮像素子２４に入射すると、被写体像が撮影光学系（レンズ）１６により撮像素子２４に結像される。この際、撮像素子２４からはＲＧＢのアナログ信号（画像信号）が出力され、このアナログ信号がＡ／Ｄ変換部２５に送られる。このＡ／Ｄ変換部２５では、入力されたアナログ信号を１２ｂｉｔのＲＧＢのデジタルデータ（ＲＡＷ−ＲＧＢデータ）に変換する。
【００７１】
このデジタルデータに変換されたＲＧＢのそれぞれのデジタルデータ（ＲＡＷ−ＲＧＢデータ）は、信号処理部（デジタル信号処理ＩＣ）２０内のセンサーＩ／Ｆ部２７に取り込まれる。そして、メモリコントローラ２９は、センサーＩ／Ｆ部２７に取り込まれたデジタルデータ（ＲＡＷ−ＲＧＢデータ）は画像データとしてフレームメモリであるＳＤＲＡＭ２１に書き込まれる。
【００７２】
また、メモリコントローラ２９は、ＳＤＲＡＭ２１に書き込まれたデジタルデータ（ＲＡＷ−ＲＧＢデータ）を読み出してＹＵＶ変換部３０に入力させる。このＹＵＶ変換部３０は、入力されたＲＧＢのそれぞれの信号を表示可能な形式であるＹＵＶデータに変換する。そして、ＹＵＶデータは、メモリコントローラ２９によってフレームメモリであるＳＤＲＡＭ２１に書き込まれる。このＹＵＶデータは、メモリコントローラ２９に読み出されて、表示出力制御部３２を介してＴＶや液晶表示器（ＬＣＤモニタ）５へ送られて表示が行われる。このようなファインダモードでの撮像から表示までの処理は、１／６０秒間隔で行われて更新される。
【００７３】
一方、信号処理部（デジタル信号処理ＩＣ）２０のセンサーＩ／Ｆ部２７は、撮像素子２４の受光面を複数のブロックに分割したときに、各ブロック内に取り込まれたデジタルＲＧＢ信号より、画面の合焦度合いを示すＡＦ評価値と、被写体輝度を検出したＡＥ評価値と、被写体色や光源色を検出したＡＷＢ評価値が算出する。
【００７４】
このＡＦ評価値，ＡＥ評価値，ＡＷＢ評価値の算出は、例えば撮像素子２４の受光面（画面）を１６×１６のブロックに分割したそれぞれのブロックの領域に対して実行され、特徴データとしてＣＰＵ２８に読み出されて、ＡＥ、ＡＦ、ＡＷＢのそれぞれの処理に利用される。
【００７５】
ＡＦ評価値は、例えば高周波成分抽出フィルタの出力積分値や、近接画素の輝度差の積分値によって作成される。合焦状態にあるときは、被写体のエッジ部分がはっきりとしているため、高周波成分が増加し、ＡＦ評価値が一番高くなる。これを利用して、ＡＦによる合焦検出動作時は、フォーカスレンズを移動させながら、それぞれのフォーカスレンズ位置におけるＡＦ評価値を取得して、その極大になる点を合焦位置としてＡＦを実行する。
【００７６】
また解像度の高いものがあるかどうかの判断にも利用できる。文字などがたくさん書いてある領域では、高周波成分が高くなり、高周波成分抽出ができるハイパスフィルタの出力値は大きくなる。逆に真っ白の紙など輝度の変化がない領域では、高周波成分がないために、ハイパスフィルタの出力は小さくなる。そのためブロック分割された各領域におけるＡＦ評価値を比較することで、どの領域に先鋭度の高いもの存在するかの判定をすることができる。
【００７７】
ＡＥ評価値とＡＷＢ評価値は、ＲＧＢのそれぞれの積分値から作成される。画面を２５６エリア（水平１６分割、垂直１６分割）のエリアのＲＧＢ積算を算出する。ＣＰＵ２８はＲＧＢ積分値を読み出し、ＡＥでは、それぞれのブロックのエリアの輝度を算出して、輝度分布から適正な露光時間を決定する。ＡＷＢでは、ＲＧＢの分布から被写体色や光源色を判定し、光源の色に合わせたＡＷＢの制御値を決定する。このＡＥとＡＷＢの処理は、ファインダモード中は連続的に行われている。
【００７８】
また、図１のレリーズ釦（レリーズシャッタボタン）１３が操作されると、合焦位置検出であるＡＦ動作と静止画記録処理が行われる。
【００７９】
即ち、レリーズ釦１３が押されると、図２のカメラ操作部１８から静止画撮影開始信号がＣＰＵ２８に取り込まれ、ＣＰＵ２８がフレームレートに同期してモータドライバ２３を介して撮影光学系１６の図示しないフォーカスレンズを光軸方向に移動制御（駆動制御）して、ＡＦ（自動合焦）を実行する。
【００８０】
この際、ＡＦ対象範囲が無限から至近までの全領域であった場合、フォーカスレンズは至近から無限の合焦方向、または無限から至近の合焦方向に移動させられる。尚、ＣＰＵ２８は、フォーカスレンズの光軸方向への移動に伴い、光軸方向への移動位置の複数箇所を評価値を算出するフォーカス位置とする。そして、このフォーカスレンズの移動に伴い、各フォーカス位置で信号処理部（デジタル信号処理ＩＣ）２０のセンサーＩ／Ｆ部２７で作成された各フレーム（＝各フォーカス位置）におけるＡＦ評価値をＣＰＵ２８が読み出す。
【００８１】
このＣＰＵ２８は、複数のフォーカス位置で読み出した複数のＡＦ評価値のうち、ＡＦ評価値が極大になる点を被写体への合焦位置とし、モータドライバ２３を動作制御してフォーカスレンズを合焦位置に移動させて、撮像素子２４の受光面を被写体にＡＦ（自動合焦）させ、ＡＦ動作を完了させる。
【００８２】
このようなＡＦ（自動合焦）動作の完了後に、撮像素子２４（撮像センサー）から出力された画像信号はＡ／Ｄ変換部２５でデジタルＲＧＢ信号、即ちデジタルデータ（ＲＡＷ−ＲＧＢデータ）に変換され、信号処理部（デジタル信号処理ＩＣ）２０のセンサーＩ／Ｆ部２７及びメモリコントローラ２９を介してＳＤＲＡＭ２１（フレームメモリ）に格納（記憶）される。また、このＳＤＲＡＭ２１に格納されたデジタルデータ（ＲＡＷ−ＲＧＢデータ）は、メモリコントローラ２９に読み込まれて、ＹＵＶ変換部３０に入力されてＹＵＶデータに変換されて、このＹＵＶデータがＳＤＲＡＭ２１に記録される（書き戻される）。
【００８３】
尚、スチル画像撮像時は、ＹＵＶ変換部３０でＹＵＶ変換された画像データ（ＹＵＶデータ）がメモリコントローラ２９により信号処理部（デジタル信号処理ＩＣ）２０内の圧縮処理部（画像圧縮伸張回路）３１に送られる。また、圧縮処理部（画像圧縮伸張回路）３１に送られたＹＵＶデータは圧縮され、メモリコントローラ２９によりＳＤＲＡＭ２１（フレームメモリ）に書き戻される。ＳＤＲＡＭ２１の圧縮データはメモリコントローラ２９を介して読み出され、メディアインターフェース３４を介してメモリカード（データ記憶メモリ）１５ａに格納される。
【００８４】
次に、図２で説明したＣＰＵ２８による本発明の制御処理を図３のフローチャートを用いて説明する。この制御処理では、電源オンから撮影毎に枚数をカウントして、電源オフ時に一日の撮影枚数を表示する。本実施の形態では、撮影した画像の明るさを、「明」、「中」、「暗」の３段階に分類し、電源オフ時にそれぞれの明るさの分類毎に終了画面に表示する場合に説明する。
【００８５】
＜ステップＳ１〜ステップＳ２＞
まず最初に、デジタルカメラ１の電源がオンにされると、デジタルカメラ１に日時情報が再設定されたか否かを判断する。この日時情報の再設定とは、初回起動時に日時情報を設定する場合、あるいは以前に設定した日時情報を変更する場合等が挙げられる。
【００８６】
＜ステップＳ３＞
日時情報が設定された場合には（ステップＳ２でＹＥＳ）、それまでに保持していた撮影枚数情報をクリアする。つまり、電源がオンにされてからオフにされるまでの間に日時情報が再設定された場合には、その時点でそれまでの撮影枚数のカウントをクリアし、次回の撮影から新たに撮影枚数のカウントを開始することになる。
【００８７】
＜ステップＳ４＞
日時情報が再設定されない場合（ステップＳ２でＮＯ）、あるいは、撮影枚数がクリアされた後（ステップＳ３の後）に撮影が行われる。
【００８８】
＜ステップＳ５〜ステップＳ６＞
撮影が行われると撮影画像全体の輝度平均値を算出し、算出した輝度平均値を保持する（ステップＳ５）。次に、撮影画像は算出した輝度平均値より、特定の閾値をもって「明」、「中」、「暗」のいずれかの明るさに分類される（ステップＳ６）。
【００８９】
＜ステップＳ７〜ステップＳ８＞
次に日時情報の設定が有効、つまり、デジタルカメラ１に日時情報が設定されているか否かを判断する。日時情報の設定が有効でない場合は（ステップＳ７でＮＯ）、撮影画像に日時情報を持たせることができないので撮影枚数をカウントすることができない。したがってカウント数をクリアして、さらに撮影枚数のカウントは行わず、ステップＳ１２の処理に進む（ステップＳ８）。
【００９０】
＜ステップＳ９＞
日時情報の設定が有効と判断された場合は（ステップＳ７でＹＥＳ）、前回の撮影日が今回の撮影日と同日であるか否かを判断する。なお、最終撮影日情報は保持され、撮影が行われる度にこれを更新する。
【００９１】
＜ステップＳ１０＞
前回の撮影日が今回の撮影日と異なると判断された場合（ステップＳ９でＮＯ）、つまり日付が変わって初めての撮影であると判断された場合、保持していた撮影枚数情報をクリアし、今回の撮影が一枚目の撮影になる。
【００９２】
＜ステップＳ１１＞
逆に、前回の撮影日が今回の撮影日と同日であると判断された場合には（ステップＳ９でＹＥＳ）、同日中に少なくとも一回以上の撮影が行われているので撮影枚数をカウントする。このときには、ステップＳ６の処理で分類された「明」、「中」、「暗」の各カテゴリ毎に撮影枚数をカウントする。
【００９３】
＜ステップＳ１２＞
次に、電源釦１２がオンされたか否かを判断する。電源釦１２がオンされていない場合には（ステップＳ１２でＮＯ）、ステップＳ２〜ステップＳ１１の処理を行う。
【００９４】
＜ステップＳ１３＞
電源釦１２がオンされた場合には（ステップＳ１２でＹＥＳ）、ステップＳ１１の処理でカウントされて保持された撮影枚数情報を取得する。そして、図４に示すように、液晶表示器５の終了画面５ｓに、電源釦１２がオンされた時点までの一日の撮影枚数５ａを表示する。
【００９５】
また、終了画面５ｓでは、各カテゴリ毎（「明」５ｂ、「中」５ｃ、「暗」５ｄ）のトータル撮影枚数を表示する。なお、このときに日時情報が設定されていない場合は撮影枚数を常に０として表示する。この終了画面に撮影枚数を１〜２秒表示した後に電源がオフにされる。
【００９６】
以上のように本実施の形態のデジタルカメラ１では、最終撮影時の日付情報を保持しておき、次回撮影時との日付が同じであるか比較して同日付内の撮影枚数をカウントし、電源オフ時の終了画面に一日の撮影枚数を表示した。したがって、撮影者は一日の撮影枚数を知りたいときに自ら撮影画像を表示して撮影枚数をカウントするといった煩雑な操作が不要となり、直感的に一日の撮影枚数を知ることが可能になる。よって、本実施の形態のデジタルカメラ１は、一日の撮影枚数を簡単に知ることができる。
【００９７】
また、本実施の形態のデジタルカメラ１は、撮影画像を所定の指標（画像の明るさ）に基づいて分類し、各カテゴリ毎（「明」、「中」、「暗」）に撮影枚数をカウントし、終了画面５ｓに一日の撮影枚数５ａと各カテゴリ毎５ｂ〜５ｄのトータル撮影枚数を表示するようにした。したがって、撮影者は、画像の明るさ毎の撮影枚数を直感的に知ることが可能になる。よって、本実施の形態のデジタルカメラ１は、明るさ毎の撮影枚数も同時に簡単に知ることができる。
【００９８】
なお、本実施の形態では、所定の指標として画像の明るさを使用したが、画像の明るさ以外にも、例えば以下の（１）〜（３）の指標に基づいて撮影画像を分類しても良い。
【００９９】
（１）撮影距離
ＡＦ動作中のそれぞれのフォーカスレンズ位置におけるＡＦ評価値から合焦位置を割り出し、被写体までの距離を算出する。算出した撮影距離を特定の閾値で「近」、「中」、「遠」などに分類する。
（２）色
撮影画像を等分分割し、各エリアのＲＧＢ積分値の分布から、被写体色や光源色の色を「赤」、「青」、「緑」のように分類する。
（３）カメラ姿勢
デジタルカメラ１に内蔵される水準器によりデジタルカメラ１の姿勢の縦横検出が行われ、検出結果に基づき、撮影画像を「縦撮り」、「横撮り」に分類する。
【０１００】
また、図４に示すように撮影枚数と同時に各カテゴリ毎５ｂ〜５ｄに代表画像を表示しても良い。この代表画像を表示することで、より直感的に撮影シーンとその撮影枚数を確認することができる。
【０１０１】
また、代表画像の選択は特定の評価値によって自動で行う。例えば、撮影時、各撮影画像はＡＦの評価値情報を保持する。ＡＦ評価値が高いほど画像のピントが合っているので、代表画像としてふさわしいと判断し、自動分類された画像中でＡＦ評価値が最も高い画像を代表画像として表示する。
【０１０２】
また、撮影画像のＳ／Ｎ比、顔検出数、撮影シーン自動認識による認識率などを画像情報として保持しておけば、以下の観点から代表画像を自動選択することもできる。
（１）Ｓ／Ｎ比が高いほど画像中にノイズが少ないので優先度を上げる。
（２）顔検出数の多い撮影画像の優先度を上げる。
（３）撮影シーン自動認識による認識率の高い撮影画像の優先度を上げる。
【０１０３】
これらのＡＦ評価値、Ｓ／Ｎ比、顔検出数、撮影シーン自動認識率による代表画像の優先度のつけ方は、いずれか一つを用いてもいいし、重みをつけるなどして組み合わせても良い。また、撮影者に選択させても良い。
【０１０４】
なお、顔検出機能と撮影シーン自動認識機能について周知であるが簡単に説明しておく。顔検出機能は、カメラを人物に向けただけで、ＣＰＵがその人物の顔の部分だけを認識してピントと明るさを自動的に設定し、さらに検出された顔がきれいに撮影できるように露出を最適化するものである。
【０１０５】
また、撮影シーン自動認識機能とは、カメラを被写体に向けたときにＣＰＵが自動的に撮影シーンを認識し、露出値、撮影感度、ホワイトバランスの制御パラメータ、フラッシュ発光の有無などの撮影条件を、当該撮影シーンに好適な値に自動的に設定するものである。認識する撮影シーンの例として、人物、風景、夜景、接写等が挙げられる。
【０１０６】
（第２の実施の形態）
第１の実施の形態のデジタルカメラ１では、図４に示したように終了画面５ｓに一日の撮影枚数５ａを表示したが、撮影枚数の表示形式は日単位に限定する必要はない。本実施の形態のデジタルカメラ１０１のように、週単位の撮影枚数、月単位の撮影枚数、あるいは初回起動時から最終撮影時までのトータルの撮影枚数を表示しても良い。
【０１０７】
図５（ａ）は週単位の撮影枚数の表示形式の例、図５（ｂ）は月単位の撮影枚数の表示形式の例、図５（ｃ）は初回起動時から最終撮影時までのトータルの撮影枚数の表示形式の例である。
【０１０８】
撮影枚数の表示形式の切り換えは、カメラのセットアップの項目の一つに撮影枚数表示形式という機能を設け、その機能選択肢に、日単位、週単位、月単位、トータルという設定項目を用意する。ここでの選択が、デジタルカメラ１０１の電源を切るときに撮影枚数の表示形式に反映される。
【０１０９】
撮影枚数表示形式で週単位を選択すると、図５（ａ）に示すように終了画面５ｓに週毎の撮影枚数５１ａを表示する。週単位の撮影枚数の表示を行うために、週の撮影枚数を累積して保持する記憶領域を図２の撮像処理システムに設ける。
【０１１０】
ここで、一週間は日曜日に始まり、土曜日に終わるとする。すなわち、ある週の日曜日の初回撮影時からの累積の撮影枚数を表示する。週の撮影枚数のカウント動作は基本的に日付毎のカウント動作と同じである。
【０１１１】
ただし、日付毎のカウント数を表示する時は、日付が変わって初めての撮影であると判断された時にカウント数をクリアしていたが、週毎のカウント数を表示する時は、日付が変わって初めての撮影であると判断され、かつ、最終撮影日の曜日から経過した日時条件に基づき、今回撮影時に週が変わったと判断される場合、保持していた週の撮影枚数情報をクリアする。
【０１１２】
ここで、最終撮影日の曜日から経過した日時条件とは、最終撮影日が日曜日であるならば７日以上、月曜日なら６日以上、火曜日なら５日以上、水曜日なら４日以上、木曜日なら３日以上、金曜日なら２日以上、土曜日なら１日以上経過している場合が、週が変わったと判断する条件である。このような処理を行うことで、同じ週の月曜日から土曜日の間は週の撮影枚数のクリアは行われない。したがって、電源を切る際に、日曜日を週の初めとしたその週の累積の撮影枚数を表示することが可能となる。
【０１１３】
また、撮影枚数表示形式で月単位を選択すると、図５（ｂ）に示すように終了画面５ｓに月毎の撮影枚数５２ａを表示する。月単位の撮影枚数の表示を行うために、月の撮影枚数を累積して保持する記憶領域を図２の撮像処理システムに設ける。
【０１１４】
月の撮影枚数のカウント動作は基本的に日付毎のカウント動作と同じである。ただし、日付毎のカウント数を表示する時は、日付が変わって初めての撮影であると判断された時にカウント数をクリアしていたが、月毎のカウント数を表示する時は、月が変わって初めての撮影であると判断された場合、保持していた週の撮影枚数情報をクリアする。このような処理を行うことで、同じ月の撮影枚数のクリアは行われない。したがって、電源を切る際に、その月の累積の撮影枚数を表示することが可能となる。
【０１１５】
また、撮影枚数表示形式でトータルを選択すると、図５（ｃ）に示すように終了画面５ｓに初回起動時から最終撮影時までのトータルの撮影枚数５３ａを表示する。初回起動時から最終撮影時までのトータルの撮影枚数の表示は、撮影枚数情報のクリアを行わない。この表示を行うために、初回起動時から最終撮影時までの撮影枚数を累積して保持する記憶領域を図２の撮像処理システムに設ける。撮影が行われるたびにカウントを行い、累積枚数を更新する。このような処理を行うことで、電源を切る際に、初回起動時から最終撮影時までのトータルの撮影枚数を表示することが可能となる。
【０１１６】
いずれの場合も、撮影者は、週単位、月単位、トータルの各撮影枚数を知りたいときには自ら撮影画像を表示して撮影枚数をカウントするといった煩雑な操作が不要となり、直感的に週単位、月単位、トータルの各撮影枚数を知ることが可能になる。よって、本実施の形態のデジタルカメラ１０１では、週単位、月単位、トータルの各撮影枚数を簡単に知ることができる。
【０１１７】
また、第１の実施の形態では、図４に示したように各カテゴリ毎５ｂ〜５ｄにトータルの撮影枚数を表示したが、本実施の形態のように各カテゴリ毎５１ｂ〜５１ｄにトータルの撮影枚数を表示するとともに、各カテゴリ毎５１ｂ〜５１ｄの代表画像が何枚目にあるか（撮影順番）を表示しても良い。これにより、撮影者は各カテゴリ毎５１ｂ〜５１ｄの代表画像を個別に表示したいときには撮影順番を利用すればすぐに見つけて表示することが可能である。
【０１１８】
以上、本発明に係る実施例を例示したが、これらの実施例は本発明の内容を限定するものではない。また、本発明の請求項の範囲を逸脱しない範囲であれば、各種の変更等は可能である。
【０１１９】
例えば、デジタルカメラが、静止画撮影機能だけでなく、文字撮影機能、動画撮影機能の少なくとも１つの撮影機能を有する場合には、これらの少なくとも１つの撮影機能を用いて撮影が行われたときに撮影枚数のカウントを行うようにしても良い。
【０１２０】
さらに、デジタルカメラが、連写撮影機能、複数サイズ画像同時記録機能、ブラケット機能の少なくとも１つの特殊撮影機能を有している場合に、これらの少なくとも１つの特殊撮影機能を用いて撮影が行われて複数の撮影画像データが生成された場合は、複数の撮影画像データを全て撮影枚数のカウントに含めるようにしても良い。
【０１２１】
また、デジタルカメラが音声記録機能を有する場合には、その音声録音機能を用いて音声記録が行われたときに、その音声記録を撮影枚数のカウントに含めるようにしても良い。
【０１２２】
また、図２に示した撮像処理システムに、日付毎の撮影枚数を記憶する記憶部、この記憶部から日付毎の撮影枚数を読み出す読み出し処理部、この読み出し処理部によって読み出された日付毎の撮影枚数から総撮影枚数を算出する演算部を設ける。そして、終了画面５ｓに一日の撮影枚数と総撮影枚数とを表示するようにしても良い。
【０１２３】
また、撮像処理システムに、終了画面５ｓに撮影枚数を表示する前に撮影枚数を表示するか否かの判断を撮影者に伺う表示判断手段と、撮影者に撮影枚数を表示するか否かを決定させる表示決定手段とを設け、表示決定手段により撮影者が撮影枚数を表示することを決定した場合に終了画面５ｓに撮影枚数を表示するようにしても良い。
【０１２４】
また、実施の形態では終了画面５ｓに撮影枚数を表示するようにしたが、撮影画像の確認時に表示される確認画面に終了画面５ｓの場合と同様な方法で撮影枚数を表示しても良い。これにより、電源を切らずに撮影途中で撮影枚数を確認することが可能になり、デジタルカメラの使い勝手を向上させることができる。
【産業上の利用可能性】
【０１２５】
以上説明したように本発明の撮像装置では、一日の撮影枚数を簡単に知ることができる。したがって、本発明の撮像装置を撮像装置の技術分野で十分に利用することができる。
【符号の説明】
【０１２６】
１、１０１  デジタルカメラ（撮像装置）
５    液晶表示器（表示部）
５ｓ    終了画面
【先行技術文献】
【特許文献】
【０１２７】
【特許文献１】特開２００７−２９３３８５号公報
【図１】
2012182620.tif 000003
【図２】
2012182620.tif 000004
【図３】
2012182620.tif 000005
【図４】
2012182620.tif 000006
【図５】
2012182620.tif 000007